(57)【要約】【課題】土地資源を節約し、共同墓地の建築及び維持コストを引き下げることができる共用祭祀室を提供し、かつ墓碑の選択及び探索の自動化を実現して、供養の利便性を高める【解決手段】主要構造には墓碑保管棚と、墓碑ピックアップ機と、墓碑リフトが含まれ、墓碑保管棚は墓碑ピックアップ機の両側に設置され、墓碑リフトは祭壇の下方に設置され、墓碑は墓碑保管棚上に設置され、墓碑ピックアップ機は墓碑を墓碑保管棚上から墓碑リフト上に移すために用いられ、墓碑リフトは墓碑を祭壇まで運び上げるために用いられる。【選択図】図１
2019203373.tif 000002
【特許請求の範囲】
【請求項１】
墓碑保管棚と、墓碑ピックアップ機と、墓碑リフトとを含み、前記墓碑保管棚は墓碑ピックアップ機の両側に設置され、前記墓碑リフトは祭壇の下方に設置されており、前記墓碑は墓碑保管棚上に設置され、前記墓碑ピックアップ機は墓碑を前記墓碑保管棚上から前記墓碑リフト上に移すために用いられ、前記墓碑リフトは墓碑を祭壇まで運び上げるために用いられることを特徴とする、共用祭祀室。
【請求項２】
前記墓碑保管棚は複数の墓碑保管部を含み、前記複数の墓碑保管部は２列に分布する４本の立柱を含み、前記２列に分布する立柱の中の対応する立柱間には山形鋼が平行に設置されており、前記墓碑が、前記２列に分布する立柱間の山形鋼上に配置されていることを特徴とする、請求項１に記載の共用祭祀室。
【請求項３】
前記墓碑ピックアップ機は、レールと、底部平台と、２本の案内柱と、横梁とを含み、前記レールは前記墓碑保管棚と平行に地面上に敷設され、前記底部平台は前記レール上に可動設置されており、前記２本の案内柱は前記底部平台の片側にそれぞれ設置され、前記横梁は前記２本の案内柱の頂部に設置され、かつ前記２本の案内柱の間に位置しており、前記底部平台上には動力機構が固定設置され、前記動力機構は前記底部平台の前記レール上での移動を駆動するために用いられており、前記案内柱の間には、枠組構造で、前記墓碑を載せるためのケージが可動設置されており、前記ケージの底部には、前記墓碑保管棚に墓碑を置いたり取り出したりするためのピックアップ平台が設置されており、前記ケージの頂部は昇降システムと接続されており、前記昇降システムは前記ケージの昇降に用いられることを特徴とする、請求項１に記載の共用祭祀室。
【請求項４】
前記昇降システムは、前記横梁上方に設置された主動輪と従動輪を含み、前記主動輪は動力源と動力接続され、前記主動輪は前記従動輪と動力接続され、前記主動輪は第１固定輪軸と動力接続され、前記従動輪は第２固定輪軸と動力接続され、前記第１固定輪軸上には第１伝動鎖が動力接続されており、前記第１伝動鎖の一端は第１カウンターウェイトと接続され、前記第１伝動鎖の他端は前記ケージの片側と接続されており、前記第２固定輪軸上には第２伝動鎖が動力接続され、前記第２伝動鎖の一端は第２カウンターウェイトと接続され、前記第２伝動鎖の他端は前記ケージの他側と接続されていることを特徴とする、請求項３に記載の共用祭祀室。
【請求項５】
前記第１固定輪軸と前記第２固定輪軸はスプロケットであり、前記第１伝動鎖と前記第２伝動鎖はチェーンであることを特徴とする、請求項４に記載の共用祭祀室。
【請求項６】
前記第１固定輪軸と前記第２固定輪軸は軸またはローラであり、前記第１伝動鎖と前記第２伝動鎖はロープであることを特徴とする、請求項４に記載の共用祭祀室。
【請求項７】
前記ピックアップ平台は、第１平台、第２平台及び第３平台を含み、前記第１平台は前記底部平台上に設置され、前記第２平台は前記第１平台上に摺動設置され、前記第３平台は前記第２平台上に摺動設置されており、
前記第１平台と前記第２平台の間には第１モータが設置されており、前記第１モータは第１スクリューと伝動接続され、前記第１スクリューは第１スクリューナットと動力接続され、前記第１スクリューナットは前記第２平台と固定接続されており、
前記第２平台と前記第３平台の間には第２モータが設置されており、前記第２モータは第２スクリューと伝動接続され、前記第２スクリューは第２スクリューナットと動力接続され、前記第２スクリューナットは前記第３平台と固定接続されており、
前記第３平台の両側にはさらにコンベアが設置され、前記コンベアはコンベアモータと動力接続されており、前記コンベアは墓碑のセッティング及び輸送に用いられることを特徴とする、
請求項３に記載の共用祭祀室。
【請求項８】
前記墓碑リフトは水平レールと垂直レールを含み、前記水平レール上にはブラケットが可動設置されており、前記ブラケット上の、前記水平レールと平行な方向には２つの凹溝が対称に設置されており、前記垂直レール上にはリフトアームが設置され、前記２つの凹溝が前記リフトアームを収容するために用いられることを特徴とする、請求項１に記載の共用祭祀室。
【請求項９】
水平モータ及び水平スクリューをさらに含み、前記水平モータは前記水平スクリューと動力接続され、前記水平スクリューは前記ブラケットの底部と動力接続されていることを特徴とする、請求項８に記載の共用祭祀室。
【請求項１０】
垂直モータ及び垂直スクリューをさらに含み、前記垂直モータが前記垂直スクリューと動力接続され、前記垂直スクリューが前記リフトアームと動力接続されていることを特徴とする、請求項８に記載の共用祭祀室。
【発明の詳細な説明】
【技術分野】
【０００１】
本発明は公共建築施設分野、特に共用祭祀室に係わる。
【背景技術】
【０００２】
共同墓地とは、人が死んだ後の骨壺や位牌の集中型埋葬管理を行う公共建築スペースを指す。都市化の度合いが高まるにつれて、都市人口の数や墓地に対する需要も急激に増加しており、従来の平面埋葬方式で求められる墓地資源は日に日に乏しくなっている。墓地資源不足の問題を解決するために現在行われている措置は、高層の共同墓地ビルや共同墓地タワーを建てて立体的に埋葬するというもので、共同墓地を空に向かって発展させている。しかし、このような措置にも依然として次のような問題が存在している。（１）階層の高さに限界があり、一定の土地及び空間を占用する必要があるだけでなく、その建築及び維持コストがかなり高い。（２）供養スペースに限りがあると同時に、建物を昇って対応する墓地を探す必要があるので、人為的な誤りや供養の不便さといった問題が存在している。
【発明の概要】
【発明が解決しようとする課題】
【０００３】
上記の技術的課題を解決するため、本発明は、土地資源を節約し、共同墓地の建築及び維持コストを引き下げることができる共用祭祀室を提供し、かつ墓碑の選択及び探索の自動化を実現して、供養の利便性を高める。
【課題を解決するための手段】
【０００４】
上記の目的を実現するために、本発明は以下の手段を提供する。
【０００５】
本発明が提供する共用祭祀室は、墓碑保管棚と、墓碑ピックアップ機と、墓碑リフトとを含み、墓碑保管棚は墓碑ピックアップ機の両側に設置され、墓碑リフトは祭壇の下方に設置され、墓碑は墓碑保管棚上に設置され、墓碑ピックアップ機は墓碑を墓碑保管棚上から墓碑リフト上に移すために用いられ、墓碑リフトは墓碑を祭壇まで運び上げるために用いられる。
【０００６】
好適には、墓碑保管棚は複数の墓碑保管部を含み、各墓碑保管部は２列に分布する４本の立柱を含み、２列に分布する立柱の中の対応する立柱間には山形鋼が平行に設置されており、墓碑は２列に分布する立柱間の山形鋼上に配置されている。
【０００７】
好適には、墓碑ピックアップ機は、レールと、底部平台と、２本の案内柱と、横梁とを含み、レールは墓碑保管棚と平行に地面上に敷設され、底部平台はレール上に可動設置されており、２本の案内柱は底部平台の片側にそれぞれ設置され、横梁は２本の案内柱の頂部に設置され、かつ２本の案内柱の間に位置しており、底部平台上には動力機構が固定設置され、動力機構は底部平台のレール上での移動を駆動するために用いられ、案内柱の間には、枠組構造で、墓碑を載せるためのケージが可動設置されており、ケージの底部には、墓碑保管棚に墓碑を置いたり取り出したりするためのピックアップ平台が設置されており、ケージの頂部は、ケージを昇降させるための昇降システムと接続されている。
【０００８】
好適には、昇降システムは、横梁上方に設置された主動輪と従動輪を含み、主動輪は動力源と動力接続され、主動輪は従動輪と動力接続され、主動輪は第１固定輪軸と動力接続され、従動輪は第２固定輪軸と動力接続され、第１固定輪軸上には第１伝動鎖が動力接続され、第１伝動鎖の一端は第１カウンターウェイトと接続され、第１伝動鎖の他端はケージの片側と接続され、第２固定輪軸上には第２伝動鎖が動力接続され、第２伝動鎖の一端は第２カウンターウェイトと接続され、第２伝動鎖の他端はケージの他側と接続されている。
【０００９】
好適には、第１固定輪軸と第２固定輪軸はスプロケットであり、第１伝動鎖と第２伝動鎖はチェーンである。
【００１０】
好適には、第１固定輪軸と第２固定輪軸は軸またはローラであり、第１伝動鎖と第２伝動鎖はロープである。
【００１１】
好適には、ピックアップ平台は、第１平台、第２平台及び第３平台を含み、第１平台は底部平台上に設置され、第２平台は第１平台上に摺動設置され、第３平台は第２平台上に摺動設置されており、
【００１２】
第１平台と第２平台の間には第１モータが設置されており、第１モータは第１スクリューと伝動接続され、第１スクリューは第１スクリューナットと動力接続され、第１スクリューナットは第２平台と固定接続されており、
【００１３】
第２平台と第３平台の間には第２モータが設置されており、第２モータは第２スクリューと伝動接続され、第２スクリューは第２スクリューナットと動力接続され、第２スクリューナットは第３平台と固定接続されており、
【００１４】
第３平台の両側にはさらにコンベアが設置され、コンベアはコンベアモータと動力接続されており、コンベアは墓碑のセッティング及び輸送に用いられる。
【００１５】
好適には、墓碑リフトは水平レールと垂直レールを含み、水平レール上にはブラケットが可動設置されており、ブラケット上の、水平レールと平行な方向には２つの凹溝が対称に設置されており、垂直レール上にはリフトアームが設置され、２つの凹溝はリフトアームを収容するために用いられる。
【００１６】
好適には、水平モータ及び水平スクリューをさらに含み、水平モータは水平スクリューと動力接続され、水平スクリューはブラケットの底部と動力接続されている。
【００１７】
好適には、垂直モータ及び垂直スクリューをさらに含み、垂直モータは垂直スクリューと動力接続され、垂直スクリューはリフトアームと動力接続されている。
【発明の効果】
【００１８】
本発明は、従来技術に対して以下の技術的効果を有する。
【００１９】
本発明の共用祭祀室の主要な構造には、墓碑保管棚と、墓碑ピックアップ機と、墓碑リフトが含まれ、墓碑保管棚は墓碑ピックアップ機の両側に設置され、墓碑リフトは祭壇の下方に設置され、墓碑は墓碑保管棚上に設置されており、墓碑ピックアップ機は墓碑を墓碑保管棚上から墓碑リフト上に移すために用いられ、墓碑リフトは墓碑を祭壇まで運び上げるために用いられる。
【図面の簡単な説明】
【００２０】
本発明の実施例または従来技術中の技術的解決手段をより明確に説明するため、以下、実施例の説明において使用する必要のある図面について簡単に紹介するが、以下の記述中の図面は本発明の実施例の一部にすぎず、当業者の創造的な労働を要しないという前提の下、これらの図面に基づき、他の図面を得ることもできることは自明である。
【００２１】
【図１】図１は、本発明に係る共用祭祀室の構造の概略図である。
【図２】図２は、本発明に係る共用祭祀室の上面構造の概略図である。
【図３】図３は、本発明に係る共用祭祀室の側面構造の概略図である。
【図４】図４は、本発明に係る共用祭祀室中の墓碑ピックアップ機及び墓碑リフトの構造の概略図である。
【図５】図５は、本発明に係る共用祭祀室中の墓碑ピックアップ機の構造の概略図である。
【図６】図６は、本発明に係る共用祭祀室中の昇降システムの構造の概略図である。
【図７】図７は、本発明に係る共用祭祀室中の墓碑保管棚の構造の概略図である。
【図８】図８は、本発明に係る共用祭祀室中の墓碑リフトの構造の概略図である。
【図９】図９は、本発明に係る共用祭祀室中のピックアップ平台が片側の限界位置にある時の構造の概略図である。
【図１０】図１０は、本発明に係る共用祭祀室中のピックアップ平台の構造の概略図である。
【図１１】図１１は、本発明に係る共用祭祀室中のピックアップ平台が他側の限界位置にある時の構造の概略図である。
【発明を実施するための形態】
【００２２】
以下、本発明の実施例中の図面と結び付けて、本発明の実施例における技術的解決手段について明瞭で完全な説明を行うが、説明する実施例は本発明の一部であって、すべての実施例でないことは明白である。本発明の実施例に基づき、当業者が創造的な労働を要しないという前提の下で獲得するその他のすべての実施例は、本発明の保護範囲に属する。
【００２３】
実施例１：
【００２４】
図１に示すように、本実施例で提供する共用祭祀室は、墓碑保管棚１と、墓碑ピックアップ機２と、墓碑リフト３とを含み、墓碑保管棚１は墓碑ピックアップ機２の両側に設置され、墓碑リフト３は祭壇４の下方に設置され、墓碑５は墓碑保管棚１上に設置され、墓碑ピックアップ機２は墓碑５を墓碑保管棚１上から墓碑リフト３上に移すために用いられ、墓碑リフト３は墓碑５を祭壇４まで運び上げるために用いられる。
【００２５】
本具体的実施例では、図１〜１１に示すように、墓碑保管棚１は複数の墓碑５保管部を含み、各墓碑５保管部は、２列に分布する４本の立柱１０１を含み、２列に分布する立柱１０１の中の対応する立柱１０１間には山形鋼１０２が平行に設置されており、墓碑５は、２列に分布する立柱１０１間の山形鋼１０２上に配置されている。
【００２６】
墓碑ピックアップ機２は、レール２０１と、底部平台２０２と、２本の案内柱２０３と、横梁２０４とを含み、レール２０１は墓碑保管棚１と平行に地面上に敷設され、底部平台２０２はレール２０１上に可動設置されており、２本の案内柱２０３は底部平台２０２の片側にそれぞれ設置され、横梁２０４は２本の案内柱２０３の頂部に設置され、かつ２本の案内柱２０３の間に位置しており、底部平台２０２上には動力機構が固定設置されており、動力機構は底部平台２０２のレール２０１上での移動を駆動するために用いられ、案内柱２０３の間には、枠組構造で、墓碑５を載せるためのケージ２０５が可動設置されており、ケージ２０５の底部には、墓碑保管棚１に墓碑５を置いたり取り出したりするためのピックアップ平台が設置されており、ケージ２０５の頂部は、ケージ２０５を昇降させるための昇降システムと接続されている。
【００２７】
昇降システムは、横梁２０４上方に設置された主動輪２１１と従動輪２１２を含み、主動輪２１１は動力源と動力接続され、主動輪２１１は従動輪２１２と動力接続され、主動輪２１１は第１固定輪軸２１３と動力接続され、従動輪２１２は第２固定輪軸２１４と動力接続され、第１固定輪軸２１３上には第１伝動鎖２１７が動力接続され、第１伝動鎖２１７の一端は第１カウンターウェイト２１５と接続され、第１伝動鎖２１７の他端はケージ２０５の片側と接続されており、第２固定輪軸２１４上には第２伝動鎖２１８が動力接続され、第２伝動鎖２１８の一端は第２カウンターウェイト２１６と接続され、第２伝動鎖２１８の他端はケージ２０５の他側と接続されている。第１固定輪軸２１３と第２固定輪軸２１４はスプロケットであり、第１伝動鎖２１７と第２伝動鎖２１８はチェーンである。第１固定輪軸２１３と第２固定輪軸２１４は軸またはローラであり、第１伝動鎖２１７と第２伝動鎖２１８はロープである。
【００２８】
ピックアップ平台２０６は、第１平台２０６１、第２平台２０６２及び第３平台２０６３を含み、第１平台２０６１は底部平台２０２上に設置され、第２平台２０６２は第１平台２０６１上に摺動設置され、第３平台２０６３は第２平台２０６２上に摺動設置され、第１平台２０６１と第２平台２０６２の間には第１モータが設置されており、第１モータは第１スクリューと伝動接続され、第１スクリューは第１スクリューナットと動力接続され、第１スクリューナットは第２平台２０６２と固定接続されており、第２平台２０６２と第３平台２０６３の間には第２モータが設置されており、第２モータは第２スクリューと伝動接続され、第２スクリューは第２スクリューナットと動力接続され、第２スクリューナットは第３平台２０６３と固定接続されており、第３平台２０６３の両側にはさらにコンベア２０６４が設置され、コンベアはコンベアモータと動力接続されており、コンベアは墓碑のセッティング及び輸送に用いられる。
【００２９】
墓碑リフト３は水平レール３０１と垂直レール３０２を含み、水平レール３０１上にはブラケット３０４が可動設置されており、ブラケット３０４上の、水平レール３０１と平行な方向には２つの凹溝が対称に設置されており、垂直レール３０２上にはリフトアーム３０３が設置され、２つの凹溝はリフトアーム３０３を収容するために用いられる。水平モータ及び水平スクリューをさらに含み、水平モータは水平スクリューと動力接続され、水平スクリューはブラケット３０４の底部と動力接続されている。垂直モータ及び垂直スクリューをさらに含み、垂直モータは垂直スクリューと動力接続され、垂直スクリューはリフトアーム３０３と動力接続されている。
【００３０】
墓碑５は墓碑保管棚１上に置かれており、墓碑保管棚１は２列の祭祀室の間に置かれており、祭壇４は祭祀室内に設置され、墓碑ピックアップ機２は墓碑保管棚１の間に設置され、墓碑リフト３は祭壇４の下方に設置されている。
【００３１】
本実施例中の共用祭祀室は、墓地管理サーバをさらに含み、墓地管理サーバは墓碑ピックアップ機２、墓碑リフト３といずれも電気接続されている。使用端末をさらに含み、使用端末は墓地管理サーバと電気接続されており、使用端末は、タッチスクリーン、キーボード及び走査装置を含み、そのうち、走査装置は二次元コードスキャナまたはバーコードスキャナまたは磁気カードリーダであってよい。オーディオ及びモニタをさらに含み、オーディオ及びモニタは墓地管理サーバと電気接続されている。
【００３２】
本実施例中の共用祭祀室の使用プロセスは以下の通りである。
【００３３】
ユーザが使用端末を通して情報を入力し、祭祀を要求する対象を選択する。このプロセスでは、キーボードやタッチスクリーンを通して情報を入力することができ、磁気カードリーダを通してユーザが持っている磁気カードを読み取ることもでき、二次元コードスキャナやバーコードスキャナでユーザの持っている二次元コードやバーコードを走査することもでき、墓地管理サーバは、ユーザの祭祀情報を受信した後、祭祀が要求された対象の墓碑５が所在する位置を確定し、墓碑ピックアップ機２が対応する位置まで行き、墓碑５を墓碑保管棚１から下ろし、その後、墓碑ピックアップ機２が該墓碑５を載置し、該墓碑５を墓碑リフト３のブラケット３０４上にセットする。ブラケット３０４は、水平レール３０１に沿って、垂直レール３０２方向に垂直レール３０２の底部まで移動し、リフトアーム３０３が該墓碑５を持ち上げ、リフトアーム３０３が垂直レール３０２に沿って垂直レール３０２の頂端まで上向きに動いてから不動を保持する。ユーザが祭祀室に入ると、墓地管理サーバがオーディオを起動して音楽を放送し、モニタは、写真やビデオなど、祭祀される対象に関連する情報を表示するために用いられる。祭祀のプロセスの後、ユーザが祭祀室を離れてから、墓地管理サーバがモニタ及びオーディオをオフにし、墓碑５を墓碑保管棚１上の指定の位置に戻す。
【００３４】
墓地管理サーバは、ユーザの祭祀情報を受信した後、祭祀が要求された対象の墓碑５が所在する位置を確定し、墓碑ピックアップ機２がレール２０１に沿って墓碑５の所在する位置まで動き、昇降システムがケージ２０５を持ち上げる。具体的には、主動輪２１１が動力源に駆動されて従動輪２１２を回転させることで、第１固定輪軸２１３と第２固定輪軸２１４の同期回転を保持する。本実施例の第１固定輪軸２１３と第２固定輪軸２１４にはいずれもスプロケットが採用されており、第１伝動鎖２１７と第２伝動鎖２１８にはいずれもチェーンが採用されており、第１固定輪軸２１３と第２固定輪軸２１４が同期回転することにより、第１伝動鎖２１７と第２伝動鎖２１８を同期して上昇させ、ケージ２０５を、ビックアップ平台が要求された墓碑５よりやや下方に位置するよう案内柱２０３に沿って上向きに移動させる。ピックアップ平台２０６中の第２平台２０６２及び第３平台２０６３は、第１モータ、第１スクリュー、第２モータ及び第２スクリューの作用下で前向きに伸出し、第３平台２０６３が要求された墓碑５の真下に到達すると、昇降システムが引き続きケージ２０５を押し上げ、コンベア２０６４が要求された墓碑５を持ち上げることができるまで、ピックアップ平台２０６を上向きに動かす。第１モータと第２モータは逆回転し、要求された墓碑５が載せられた伸縮アームをケージ２０５内に回収し、昇降システムがケージ２０５を降ろして、墓碑５のピックアップが完了する。その後、墓碑ピックアップ機２がレール２０１に沿って墓碑リフト３まで動き、ケージ２０５とブラケット３０４の位置を対応させる。第１モータと第２モータが回転し、要求された墓碑５を乗せたコンベア２０６４がブラケット３０４の上方まで伸出し、コンベア２０６４が墓碑５をブラケット３０４に向かって搬送し、墓碑５をブラケット３０４の真上に位置させ、昇降システムがケージ２０５を下向きに置き、墓碑５をブラケット３０４上に置くと、ピックアップ平台２０６がリセットされ、ブラケット３０４が水平モータと水平スクリューの作用下で水平レール３０１に沿って垂直レール３０２の底部まで動き、リフトアーム３０３が、垂直モータと垂直スクリューの作用下で、垂直レール３０２に沿って垂直レール３０２の頂部にまで上向きに動いて不動を保持する。
【００３５】
本明細書では、具体的ないくつかの例を応用して本発明の原理及び実施形態について説明しているが、上記の実施例の説明は、本発明の方法及びその中心的構想の理解を助けるためのものにすぎない。同時に、当業者であれば、本発明の構想に基づき、具体的実施形態及び応用範囲において、変更を行うこともある。以上のことから、本明細書の内容を、本発明を限定するものと理解してはならない。
【符号の説明】
【００３６】
１  墓碑保管棚
２  墓碑ピックアップ機
３  墓碑リフト
４  祭壇
５  墓碑
１０１  立柱
１０２  山形鋼
２０１  レール
２０２  底部平台
２０３  案内柱
２０４  横梁
２０５  ケージ
２０６  ピックアップ平台
２１１  主動輪
２１２  従動輪
２１３  第１固定輪軸
２１４  第２固定輪軸
２１５  第１カウンターウェイト
２１６  第２カウンターウェイト
２１７  第１伝動鎖
２１８  第２伝動鎖
３０１  水平レール
３０２  垂直レール
３０３  リフトアーム
３０４  ブラケット
２０６１  第１平台
２０６２  第２平台
２０６３  第３平台
２０６４  コンベア
【図１】
2019203373.tif 000003
【図２】
2019203373.tif 000004
【図３】
2019203373.tif 000005
【図４】
2019203373.tif 000006
【図５】
2019203373.tif 000007
【図６】
2019203373.tif 000008
【図７】
2019203373.tif 000009
【図８】
2019203373.tif 000010
【図９】
2019203373.tif 000011
【図１０】
2019203373.tif 000012
【図１１】
2019203373.tif 000013
【手続補正書】
【提出日】令和1年8月2日(2019.8.2)
【手続補正１】
【補正対象書類名】特許請求の範囲
【補正対象項目名】全文
【補正方法】変更
【補正の内容】
【特許請求の範囲】
【請求項１】
墓碑保管棚と、墓碑ピックアップ機と、墓碑リフトとを含み、前記墓碑保管棚は墓碑ピックアップ機の両側に設置され、前記墓碑リフトは祭壇の下方に設置されており、前記墓碑は墓碑保管棚上に設置され、前記墓碑ピックアップ機は墓碑を前記墓碑保管棚上から前記墓碑リフト上に移すために用いられ、前記墓碑リフトは墓碑を祭壇まで運び上げるために用いられ、前記墓碑ピックアップ機は、レールと、底部平台と、２本の案内柱と、横梁とを含み、前記レールは前記墓碑保管棚と平行に地面上に敷設され、前記底部平台は前記レール上に可動設置されており、前記２本の案内柱は前記底部平台の両側にそれぞれ相対するように設置され、前記横梁は前記２本の案内柱の頂部に設置され、かつ前記２本の案内柱の間に位置しており、前記底部平台上には動力機構が固定設置され、前記動力機構は前記底部平台の前記レール上での移動を駆動するために用いられており、前記案内柱の間には、枠組構造で、前記墓碑を載せるためのケージが可動設置されており、前記ケージの底部には、前記墓碑保管棚に墓碑を置いたり取り出したりするためのピックアップ平台が設置されており、前記ケージの頂部は昇降システムと接続されており、前記昇降システムは前記ケージの昇降に用いられることを特徴とする、共用祭祀室。
【請求項２】
前記墓碑保管棚は複数の墓碑保管部を含み、前記複数の墓碑保管部は２列に分布する４本の立柱を含み、前記２列に分布する立柱の中の対応する立柱間には山形鋼が平行に設置されており、前記墓碑が、前記２列に分布する立柱間の山形鋼上に配置されていることを特徴とする、請求項１に記載の共用祭祀室。
【請求項３】
前記昇降システムは、前記横梁上方に設置された主動輪と従動輪を含み、前記主動輪は動力源と動力接続され、前記主動輪は前記従動輪と動力接続され、前記主動輪は第１固定輪軸と動力接続され、前記従動輪は第２固定輪軸と動力接続され、前記第１固定輪軸上には第１伝動鎖が動力接続されており、前記第１伝動鎖の一端は第１カウンターウェイトと接続され、前記第１伝動鎖の他端は前記ケージの片側と接続されており、前記第２固定輪軸上には第２伝動鎖が動力接続され、前記第２伝動鎖の一端は第２カウンターウェイトと接続され、前記第２伝動鎖の他端は前記ケージの他側と接続されていることを特徴とする、請求項１に記載の共用祭祀室。
【請求項４】
前記第１固定輪軸と前記第２固定輪軸はスプロケットであり、前記第１伝動鎖と前記第２伝動鎖はチェーンであることを特徴とする、請求項３に記載の共用祭祀室。
【請求項５】
前記第１固定輪軸と前記第２固定輪軸は軸またはローラであり、前記第１伝動鎖と前記第２伝動鎖はロープであることを特徴とする、請求項３に記載の共用祭祀室。
【請求項６】
前記ピックアップ平台は、第１平台、第２平台及び第３平台を含み、前記第１平台は前記底部平台上に設置され、前記第２平台は前記第１平台上に摺動設置され、前記第３平台は前記第２平台上に摺動設置されており、
前記第１平台と前記第２平台の間には第１モータが設置されており、前記第１モータは第１スクリューと伝動接続され、前記第１スクリューは第１スクリューナットと動力接続され、前記第１スクリューナットは前記第２平台と固定接続されており、
前記第２平台と前記第３平台の間には第２モータが設置されており、前記第２モータは第２スクリューと伝動接続され、前記第２スクリューは第２スクリューナットと動力接続され、前記第２スクリューナットは前記第３平台と固定接続されており、
前記第３平台の両側にはさらにコンベアが設置され、前記コンベアはコンベアモータと動力接続されており、前記コンベアは墓碑のセッティング及び輸送に用いられることを特徴とする、
請求項１に記載の共用祭祀室。
【請求項７】
墓碑保管棚と、墓碑ピックアップ機と、墓碑リフトとを含み、前記墓碑保管棚は墓碑ピックアップ機の両側に設置され、前記墓碑リフトは祭壇の下方に設置されており、前記墓碑は墓碑保管棚上に設置され、前記墓碑ピックアップ機は墓碑を前記墓碑保管棚上から前記墓碑リフト上に移すために用いられ、前記墓碑リフトは墓碑を祭壇まで運び上げるために用いられ、水平レールと垂直レールを含み、前記水平レール上にはブラケットが可動設置されており、前記ブラケット上の、前記水平レールと平行な方向には２つの凹溝が対称に設置されており、前記垂直レール上にはリフトアームが設置され、前記２つの凹溝が前記リフトアームを収容するために用いられることを特徴とする、共用祭祀室。
【請求項８】
水平モータ及び水平スクリューをさらに含み、前記水平モータは前記水平スクリューと動力接続され、前記水平スクリューは前記ブラケットの底部と動力接続されていることを特徴とする、請求項７に記載の共用祭祀室。
【請求項９】
垂直モータ及び垂直スクリューをさらに含み、前記垂直モータが前記垂直スクリューと動力接続され、前記垂直スクリューが前記リフトアームと動力接続されていることを特徴とする、請求項７に記載の共用祭祀室。